(57)【要約】【課題】身体掛け布がズリ落ちず、快適に使用することができるチャイルドシートを提供する。【解決手段】チャイルドシート１は、子供が座る座部２と、子供の背中を受け止める背もたれ部３と、これら座部２から背もたれ部３にかけての左右両側に沿って延在する左右のサイド部４とを有する。このサイド部４の上部の側面にそれぞれアンカ５が設けられ、このアンカ５に線状体６の基端が接続されている。線状体６の先端にクリップ７が設けられている。子供に掛けたタオルケット等の身体掛け布８の上辺の左右両端側がそれぞれクリップ７に挟持されている。【選択図】図１
2005096707.tif 000002
【特許請求の範囲】
【請求項１】
子供の臀部が載る座部と、
子供の背中が当る背もたれ部と、
該座部及び背もたれ部の左右に配置されるサイド部と
を備えてなるチャイルドシートにおいて、
該サイド部の左右の側面の上部に身体掛け布を保持可能な保持器をそれぞれ設けたことを特徴とするチャイルドシート。
【請求項２】
請求項１において、該保持器は線状体の一端に設けられており、
該保持器は線状体の他端が該サイド部の前記側面の上部に連結されていることを特徴とするチャイルドシート。
【請求項３】
請求項２において、該サイド部の側面の上部に線状体の巻取器が設置されており、
該線状体は該巻取器に巻取、巻出可能となっていることを特徴とするチャイルドシート。
【請求項４】
請求項２において、該線状体は剛性を有しており、その他端が該側面の上部に対し回動可能に取り付けられていることを特徴とするチャイルドシート。
【請求項５】
請求項２において、該線状体は伸長可能なコイル状であることを特徴とするチャイルドシート。
【請求項６】
請求項１ないし５のいずれか１項において、前記保持器は挟みクリップであることを特徴とするチャイルドシート。
【請求項７】
請求項１ないし５のいずれか１項において、前記保持器はリングであることを特徴とするチャイルドシート。
【請求項８】
請求項１ないし５のいずれか１項において、前記保持器は引き輪であることを特徴とするチャイルドシート。
【発明の詳細な説明】
【技術分野】
【０００１】
本発明は、車両のシートに設置される、子供（特に好適には幼児）が座るチャイルドシートに関するものであり、特に、子供に掛けた身体掛け布の上部を保持する保持器を備えたチャイルドシートに関する。
【背景技術】
【０００２】
チャイルドシートに座った子供に毛布、肌掛けなどの身体掛け布を掛けた場合、身体掛け布がズリ落ち易い。特開２００２−１１４０６７号公報には、左右サイド部の上部前面に、面状ファスナ、ボタン、フックなど、身体掛け布を保持可能な保持手段を設けることが記載されている。
【特許文献１】特開２００２−１１４０６７号公報
【発明の開示】
【発明が解決しようとする課題】
【０００３】
上記特開２００２−１１４０６７号公報のチャイルドシートにあっては、保持手段がサイド部の前面に設けられているため、平面ファスナ等の該保持手段に対し子供の身体や、子供の世話をする大人の手などが擦れ合い、不快感を感取させ易い。
【０００４】
本発明は、このような問題点を解決し、快適に使用することができるチャイルドシートを提供することを目的とする。
【課題を解決するための手段】
【０００５】
本発明のチャイルドシートは、子供の臀部が載る座部と、子供の背中が当る背もたれ部と、該座部及び背もたれ部の左右に配置されるサイド部とを備えてなるチャイルドシートにおいて、該サイド部の左右の側面の上部に身体掛け布を保持可能な保持器をそれぞれ設けたことを特徴とするものである。
【０００６】
かかるチャイルドシートにあっては、子供に掛けたタオルケット、毛布、肌掛けなどの身体掛け布の上部を保持器で保持することにより、そのズリ落ちを防ぐことができる。本発明では、この保持器がサイド部の側面に配置されているので、チャイルドシートに座った子供や、子供の世話をする大人に触れにくく、快適性に優れる。
【０００７】
本発明では、保持器は線状体の一端に設けられており、該保持器は線状体の他端が該サイド部の前記側面の上部に連結されている構成としてもよい。このようにすれば、身体掛け布のサイズが多少異なっても、身体掛け布を保持器に留め易くなる。
【０００８】
この場合、サイド部の側面の上部に線状体の巻取器が設置されており、該線状体は該巻取器に巻取、巻出可能となっている構成としてもよい。このようにすれば、不要時には線状体を巻取っておくことができ、線状体が邪魔にならない。
【０００９】
また、線状体は剛性を有しており、その他端が該側面の上部に対し回動可能に取り付けられている構成としてもよい。このようにすれば、不要時には線状体を後方に退避させておくことができ、線状体が邪魔にならない。
【００１０】
線状体を伸長可能なコイル状とした場合にも、線状体が邪魔にならないようになる。
【００１１】
巻取器としては、挟みクリップを採用してもよい。この挟みクリップは、使用法が分り易く、便利である。
【００１２】
保持器としてリングを用いた場合には、身体掛け布の保持をしていないときに、哺乳ビンやＰＥＴボトルを保持する用途に用いることができる。
【００１３】
保持器として引き輪を用いたときには、各種の物品を保持する用途にも用いることができる。
【発明の効果】
【００１４】
本発明によると、身体掛け布の保持器付きのチャイルドシートを快適に使用することができる。
【発明を実施するための最良の形態】
【００１５】
以下、図面を参照して実施の形態について説明する。第１図は実施の形態に係るチャイルドシート１の斜視図である。
【００１６】
このチャイルドシート１は、子供が座る座部２と、子供の背中を受け止める背もたれ部３と、これら座部２から背もたれ部３にかけての左右両側に沿って延在する左右のサイド部４とを有する。このサイド部４の上部の側面にそれぞれアンカ５が設けられ、このアンカ５に線状体６の基端が接続されている。線状体６の先端にクリップ７が設けられている。子供に掛けたタオルケット等の身体掛け布８の上辺の左右両端側がそれぞれクリップ７に挟持されている。
【００１７】
アンカ５はベアリング等によって回動可能となっている。このため、線状体６は、第１図のようにチャイルドシート１の前方に向って延在する張り出し姿勢と、アンカ５から下方に垂下する垂下姿勢とを採り得るよう構成されている。
【００１８】
このチャイルドシート１には、お尻拭きなどの小物を収納する収納部１０と、紙おむつを収納する収納部１１とが設けられている。これらの収納部１０，１１にはそれぞれ開閉式の蓋１０ａ，１１ａが設けられている。なお、収納部１１の蓋１１ａは、その一部又は全体が透明であり、紙おむつの残量を目視確認できるようになっている。
【００１９】
このチャイルドシート１は、自動車の座席の上に設置され、大人用シートベルト１２によって固定される。１３はこのシートベルト１２がトングを介して連結されたバックルを示す。
【００２０】
このように構成されたチャイルドシート１にあっては、身体掛け布８が、クリップ７、線状体６及びアンカ５よりなる保持器によって保持されているので、ズリ落ちることがない。身体掛け布８を掛けないときには、線状体６を垂下姿勢とすることができるので、クリップ７や線状体６が子供あるいはその世話をする大人に触れることがなく、快適である。
【００２１】
なお、図示は省略するが、この実施の形態では、チャイルドシート１の背もたれ部３の背面の上部にフック（掛け片）が設けられている。非使用時の身体掛け布８を第２図のように折り畳み、バンド１５で結束し、このバンド１５に連なる紐１６を該フックに掛ける。これにより、身体掛け布８をチャイルドシート１の背後側に片付けておくことができる。
【００２２】
次に、上記のアンカ５及び線状体６の他の取付例及び構成例について第３図〜第５図を参照して説明する。
【００２３】
上記のアンカ５は、ビス留め、ボルト留め、接着剤、平面ファスナ等の適宜の取付手段で取り付けてもよい。平面ファスナによれば、不要時にアンカを取り外しておくことができる。
【００２４】
不要時にアンカを取り外しておくことができる構成とするために、第３図に示すように、アンカ５をアンカベース２０に取り付け、このアンカベース２０をベースホルダ２１に着脱自在に装着してもよい。第３図ではアンカベース２０は、互いに離反する方向に張り出す１対の張出片２０ａを有したハット形断面形状である。張出片２０ａ，２０ａ同士の間の凸部２０ｂにアンカ５が取り付けられている。ベースホルダ２１は、張出片２０ａの受け入れ部２１ａと、凸部２０ｂを前方に臨ませるための露見用開放部２１ｂとを有する。このベースホルダ２１は、ビス留め、ボルト留め、接着などによりサイド部４の外面に取り付けられている。
【００２５】
なお、クリップ７はこの第３図では洗濯挟み状のものが用いられているが、後述のものなど各種のものを用いることができる。
【００２６】
第３図では、線状体６は平帯ベルト状となっているが、紐状であってもよく、剛性を有したもの（例えば太いワイヤ）であってもよい。剛性を有した線状体の場合、アンカとして第１図の実施の形態のアンカ５のように回動可能なものを用いる。
【００２７】
この場合、非使用時に線状体６が回動してクリップ７が子供に当ることを防ぐために、アンカの位置を低目にしたり線状体６を短くすることが望ましい。
【００２８】
線状体が紐状など、剛性を有しないものであるときや、アンカが回動可能な場合には、非使用時にクリップを係止しておく揺れ止め用の係止部を設けてもよい。クリップが洗濯挟み状の挟みクリップである場合、係止部としては該クリップが咬み付き状に係止される小片などが好適であるが、これに限定されない。
【００２９】
紐状の線状体として第４図に示すようにコイル状の線状体２３を用いてもよい。紐状の線状体の場合、第５図に示すように、アンカ２４として線状体２５の巻き取り機能を有したリールタイプのものを用いてもよい。このアンカ２４内にはバネが配置されており、線状体２５から手を離すと線状体２５は第５図（ａ）のようにアンカ２４に巻き取られ、クリップ７を引っ張ると、線状体２５がアンカ２４から引き出される。
【００３０】
上記実施の形態では、保持器として洗濯挟み状の挟みクリップ７が用いられているが、第６図のリング２７を用いてもよい。このリング２７は円形であり、線状体２６を結び付けるための小ループ部２７ａが突設されている。このリング２７は、身体掛け布のほか、哺乳ビンやＰＥＴボトルなどを保持することもできる。
【００３１】
第７図では、リング２８に２個の小ループ部２８ａが設けられている。
【００３２】
第８図では、線状体２６の先端に引き輪２９を設けてある。この引き輪２９には、身体掛け布のほか、玩具などを保持することもできる。
【００３３】
図示はしないが、線状体はアンカに対し着脱可能とされてもよい。そのためには例えば線状体の基端にホック、フックや引き輪を設けるのが好ましい。
【図面の簡単な説明】
【００３４】
【図１】実施の形態に係るチャイルドシート１の斜視図である。
【図２】身体掛け布の畳んだ状態の斜視図である。
【図３】アンカの一例を示す斜視図である。
【図４】線状体の一例を示す斜視図である。
【図５】アンカ及び線状体の一例を示す斜視図である。
【図６】保持器の一例を示す斜視図である。
【図７】保持器の一例を示す斜視図である。
【図８】保持器の一例を示す斜視図である。
【符号の説明】
【００３５】
１  チャイルドシート
４  サイド部
５  アンカ
６  線状体
７  クリップ
８  身体掛け布
２０  アンカベース
２１  ベースホルダ
【図１】
2005096707.tif 000003
【図２】
2005096707.tif 000004
【図３】
2005096707.tif 000005
【図４】
2005096707.tif 000006
【図５】
2005096707.tif 000007
【図６】
2005096707.tif 000008
【図７】
2005096707.tif 000009
【図８】
2005096707.tif 000010